(57)【特許請求の範囲】
【請求項１】
ウェブ（30）の横方向ミシン目入れ装置であって、
回転駆動されるミシン目入れブレード（10）及び溝付きローラ（17）を有し、これらは共に機枠（1,2 ）に取り付けられ、ミシン目が入れられるべきウェブ（30）がこれらの間を通るようになっている装置において、
前記ミシン目入れブレード（10）の回転軸線と前記溝付きローラ（17）の回転軸線との間の距離を変化させるために、２つの調整装置が設けられており、
前記第一の調整装置は、前記ミシン目入れブレードを、幅の広いミシン目入れブレード又は幅の狭いミシン目入れブレードと交換でき、或いは、前記回転軸線からの距離が長いミシン目入れブレード、又は、前記回転軸線からの距離が短いミシン目入れブレードと交換できるような仕方の調整を行うようになっており、
前記第二の調整装置は、前記溝付きローラ（17）の溝内への前記ミシン目入れブレード（10）の歯の侵入深さを調整できるような仕方で微調整を行うようになっていて、
前記第一の調整装置および前記第二の調整装置は、それぞれが、定位置にロックできると共に機枠（1,2 ）に回動自在に取り付けることができる偏心シャフトからなっていて、
前記第一の調整装置の偏心シャフト（21）は、荒調整を行うためのものであり、
前記第二の調整装置の偏心シャフト（13）は、微調整を行うためのものであり、
前記第二の調整装置の偏心シャフト（13）の偏心率は、前記第一の調整装置の偏心シャフト（21）より小さい、
ことを特徴とする装置。
【請求項２】
前記溝付きローラ（17）は、前記機枠の側方部材に回動自在に取り付けられた２つの案内レバー（15,16 ）に回動自在に取り付けることができ、前記案内レバーの同一の旋回角度は、前記第一の調整装置の偏心シャフト（21）により調整可能であることを特徴とする、請求項１に記載の装置。
【請求項３】
前記第一の調整装置の偏心シャフト（21）は、前記両方の案内レバー（15,26 ）の互いに整列した切欠き状窓に貫入し、前記切欠き状窓の同一側部に載っていることを特徴とする、請求項２に記載の装置。
【請求項４】
前記切欠き状窓（20）内における前記第一の調整装置の偏心シャフト（21）の遊びは、調整ねじ（23）で補償できることを特徴とする、請求項３に記載の装置。
【請求項５】
前記案内レバー（15,16 ）は、前記機枠（1,2 ）に片寄った状態で取り付けられた前記第二の調整装置の偏心シャフト（13）を中心として旋回するよう取り付けられていることを特徴とする、請求項１〜４のうちの何れか１項に記載の装置。
【請求項６】
前記ミシン目入れブレード（10）及び前記溝付きローラ（17）の軸受は、支持部材（15,16 ）内に配置され、前記支持部材は、前記機枠（1,2 ）内で横断方向にスライドでき、前記支持部材（15,16 ）を前記機枠（1,2 ）に対して側方へ動かすための装置（９）が設けられていることを特徴とする、請求項１〜５のうちの何れか１項に記載の装置。
【発明の詳細な説明】
【０００１】
【発明の属する技術分野】
本発明は、ウェブ、好ましくは袋を作るためのペーパーウェブの横方向ミシン目入れ装置に関する。かかる装置は、回転駆動されるミシン目入れブレード及び溝付きローラを有し、これらは共に機枠に取り付けられ、ミシン目が入れられるべきウェブがこれらの間を通るようになっている。
【０００２】
【従来の技術及び発明が解決しようとする課題】
たとえば、紙袋を製造するためには、管状の紙（以下、「紙管」という場合がある）を、一枚のウェブ又は同時に案内される数層のウェブから、次の手順で、即ち両側を折り曲げてこれらがオーバーラップするようにし、次にオーバーラップしている部分を貼り合わせることにより作る。これらの紙管から所謂「管状セグメント」を裁断して得る。次に、これら管状セグメントを従来方法で更に加工して底を形成することにより紙袋にする。
【０００３】
その際、管状セグメントを引裂き装置により管状ウェブから順々に引き裂くことができるように管状セグメントにところどころに横方向ミシン目を入れることにより管状セグメントは先に作られた管状ウェブから切り離される。
【０００４】
これら管状セグメントは通常、パッケージの状態に積み重ねられ、次に行われる袋への加工のために渡される。
【０００５】
ミシン目が入れられるべきペーパーウェブの厚さ又は管状セグメントの層数の関数として、ミシン目入れブレードの歯は、溝付きローラ内へ深く又は程々に下降しなければならない。さらに、ミシン目入りウェブを送る目的上、ミシン目入れブレードと溝付きローラの相互間隔を、送りに起因する問題が生じない程度まで大きく取ることが望ましい。
【０００６】
したがって、本発明の目的は、溝付きローラ内へのミシン目入れブレードの歯の侵入深さを要件に応じて設定できる上述した形式の装置を提供することにある。
【０００７】
【課題を解決するための手段】
本発明は、この課題を、ミシン目入れブレードの回転軸線と溝付きローラの回転軸線との間の距離を変化させる少なくとも１つの調整装置を設けることによって解決する。
【０００８】
横方向ミシン目入れ装置は又、種々の検出の袋を作ることを目的として横方向ミシン目入りのウェブから管状セグメントを引き裂くように用いられるのが通例である。また、種々の形状に応じて横方向ミシン目相互間の間隔を調整できなければならない。ところで、ミシン目入れブレードを様々な幅に応じて交換してミシン目入れブレードが様々な直径の外部筒体上を通過できるようにして初めてかかる調整を行うことができる。かくして、ミシン目入れブレードの包絡又は包囲曲線をセグメントの長さの関数として調整しなければならない。この調整を行うためには溝付きローラの位置を調整する必要がある。というのは、これらの軸線相互間の距離が変化するからである。本発明の好ましい実施形態では、調整装置は、ミシン目入れブレードを、その広い又は狭い幅の関数として交換でき、或いは前記回転軸線からの距離が長い又は短いミシン目入れブレードと交換できるような仕方の調整を行う。
【０００９】
別の好ましい実施形態では、別の調整装置は、溝付きローラの溝内へのミシン目入れブレードの歯の侵入深さを調整できるような仕方で微調整を行う。この調整装置により、種々の厚さ又は種々の層のウェブに所望の方法でミシン目を入れることができるような仕方で回転ミシン目入れブレードと溝付きローラを整合させることができる。例えば、いわゆるジグザグ配置の袋を作ろうとする場合、単層ウェブにミシン目を入れ、管を形成する前に横方向ミシン目の入っている平らなウェブと既に合体させて多層ウェブの状態にしておかなければならない。多層管状ウェブにミシン目を入れようとする場合、種々の厚さのウェブについて調整可能であることが特に必要である。
【００１０】
好ましくは、微調整は、ミシン目入れブレードと溝付きローラを互いに離脱させて機械の設計上、ミシン目入れブレードと溝付きローラの間でウェブに容易にミシン目を入れることができるようウェブを送ることができるような広範な調整の仕方を含む。
【００１１】
好ましくは、各調整装置は、定位置にロックできると共に機枠に回動自在に取り付けることができる偏心シャフトから成る。
【００１２】
別の好ましい実施形態では、溝付きローラは、機枠の側方部材に回動自在に取り付けられた２つの案内レバーに回動自在に取り付けることができ、案内レバーの同一の旋回角度は、偏心シャフトにより調整可能であり、偏心シャフトは、荒調整を行うのに役立つ。
【００１３】
荒調整を行うのに役立つ偏心シャフトは、両方の案内レバーの互いに整列した切欠き状窓に貫入し、これら切欠き状窓の同一側部に載っている。
【００１４】
好ましくは、切欠き状窓内における偏心シャフトは、これらの挿入を容易にする遊びを備える。
【００１５】
好ましくは、切欠き状窓内における偏心シャフトの遊びは、調整ねじで補償でき、調整ねじと切欠き状窓の補強箇所との間で、偏心シャフトが定位置に固定される。
【００１６】
別の好ましい実施形態では、案内レバーは、機枠に片寄った状態で取り付けられたシャフトを中心として旋回するよう取り付けられており、シャフトの目的は、微調整をすることにある。
【００１７】
最後に、ミシン目入れブレード及び溝付きローラの軸受は、支持部材内に配置され、支持部材は、機枠内で横断方向にスライドでき、支持部材を機枠に対して側方へ動かすための装置が設けられている。この実施形態は、ミシン目入れブレード及びこれと関連した溝付きローラを側方へ動かすことが必要な場合に対応する。
【００１８】
本装置の一実施形態を図面を参照して以下に説明する。
【００１９】
【発明の実施の形態】
機枠のプレートの形をした側方部材１，２は、プレートの形をした支持部材３，４を保持している。これら支持部材の頂部領域は、互いに整列した管部品５，６に剛結されており、これら管部品を、側方部材１，２の互いに組み合わされた通路内に移動させることができる。支持部材３，４の底部領域は、円錐体７，８の形をしており、これら円錐体は又、側方部材１２の適当な通路に貫入している。補強の目的で、支持部材３，４を横方向部材（図示せず）によって互いに連結するのがよい。支持部材を側方に調節できるようにするために、操作ノブを備えたシャフト部品９が、側方部材１に取り付けられていて、これは、回転するが軸方向にスライドできないようになっている。このシャフト部品の端部領域は、ねじ山を備え、支持部材３のねじ穴にねじ込まれて操作ノブを操作することにより支持部材３，４を側方フレーム１，２に対して側方に動かすことができるようになっている。
【００２０】
ミシン目入れブレード１０が、ころ軸受によって管部品５内に回動自在に取り付けられ、これらのころ軸受は、支持部材３，４に剛結されている。ミシン目入れブレード１０は、のこ歯のような切れ刃を備えている。ベルト又は歯付きベルト１２によって駆動できるベルトプーリ１１が、回転自在なミシン目入れブレード１０のシャフト支承部にキー止めされている。シャフト支承部は、管部品６を越えて突出している。
【００２１】
偏心シャフト１３が、支持部材３，４に取り付けられており、この偏心シャフトは、微調整を行うのに役立ち、その右側の端部は、右側の側部フレーム１のボアホールを貫通している。操作レバー１４の一端が、偏心シャフトの調節のために偏心シャフト１３に取り付けられている。２つのレバー１５，１６が、旋回可能に偏心シャフト１３に取り付けられている。レバーの上端部は、自由に回転できる溝付きローラ１７のシャフト支承部の端を支持している。溝付きローラ１７は、リング状の溝を備え、ミシン目入れブレード１０の歯がこれらリング溝に入り込むことができる。レバー１５，１６は、溝付きローラ１７の取付け部と偏心シャフト１３の取付け部との間の中央領域に、幾分矩形の形をした窓状の通路２０を備えている。偏心シャフト２１がこの通路２０を貫通しており、この偏心シャフトを図面に示すように側方部材１，２内で回転させることができる。調整ねじ２３が、レバー１５，１６の下方に折り曲げられたブラケット２２にねじ込まれており、この調整ねじの拡大皿形ヘッドは、偏心シャフト２１に当たり、そしてこれら調整ねじは、これら自体と偏心シャフトの切欠き状窓２０の一方の側部との間を包囲している。
【００２２】
偏心シャフト２１は、図２から明らかなように、相当大きな偏心率を備えており、従って偏心シャフトが旋回すると、ミシン目入れブレード１０が溝付きローラに係合したり、これから外れたりするようになっている。
【００２３】
偏心シャフト２１によって行われるより調整に続き、溝付きローラ１７のリング状溝内へのミシン目入れブレード１０の侵入深さの微調整を、偏心率が小さい偏心シャフト１３を回転させることにより行うことができる。
【００２４】
荒調整を目的とする偏心シャフト２１を、作動レバー２５によって回転させることができ、作動レバー２５は、側部フレームを貫通したそのシャフト支承部に締結されている。
【００２５】
偏心シャフト１３，２１によって設定された偏心率をそれぞれ、シム２６，２７によって一定に固定できる。シム２６は、保持部材を用いて側部フレーム１に連結され、シム２７は、保持部材２８を備えており、この保持部材２８は、側部フレーム１を貫通して支持部材３に締結されている。
【００２６】
図２は、本装置中におけるミシン目の入れられるべきウェブ３０の通路の略図である。ミシン目入れブレード１０の旋回円は、包絡曲線３１によって示されている。
【００２７】
ミシン目入れブレード１０は、ブレードシャフト３４に設けられたブレードキャリヤ３３によって従来方法で取り付けられている。
【００２８】
ブレードキャリヤ３３を適当に選択することにより、ブレードの包絡曲線の有効直径を、ミシン目の入れられるべきウェブのセグメントの長さに合わせて調整できる。幅の広い又は幅の狭いミシン目入れブレードを取り付けることにより、或いはブレードキャリヤ３３を回転軸線からのミシン目入れブレードの切れ刃の半径方向距離に合わせて調整することにより調整を行うことができる。
【図面の簡単な説明】
【図１】ウェブに横方向ミシン目を入れる装置の正面図である。
【図２】２本の偏心シャフトにより調整できる案内レバー内における溝付きローラの位置を示す図である。
【符号の説明】
１，２  側方部材
１０  ミシン目入れブレード
１３，２１  偏心シャフト
１５，２６  案内レバー
１７  溝付きローラ
２０  切欠き状窓
３０  ウェブ
【図１】
0004764539.tif 000002
【図２】
0004764539.tif 000003